(57)【要約】【課題】  追加工や追加部品を不要とする簡易な構造で、簡易な組立作業により汎用ＡＣインレットをケース体のインレット組付開口部に精度よく組み付る。【解決手段】  ケース本体３の外周壁部１９に開口縁に沿って嵌合凸縁部２１を形成したインレット組付開口部２０を設け、外周部に形成した嵌合溝１６を嵌合凸縁部２１に嵌合してＡＣインレット６を組み付ける。嵌合凸縁部２１の側面に嵌合溝１６に嵌合した状態で弾性変形する圧入リブ２２を形成し、圧入リブ２２の弾性力により嵌合凸縁部２１を相対する嵌合溝１６の溝内壁に押し付けてＡＣインレット６がインレット組付開口部２０内に精度よく組み付けられるようにする。【選択図】  図２
0003127582.tif 000002
【実用新案登録請求の範囲】
【請求項１】
外周壁部に開口するインレット組付開口部を形成するとともに、前記インレット組付開口部の開口縁の内面側に嵌合凸縁部を形成したケース体と、
外形が前記インレット組付開口部と略同形とされるとともに外周部に前記嵌合凸縁部が嵌合する嵌合溝が形成され、交流電源接続体を結合する接続体結合面を前記インレット組付開口部から外方に臨ませて前記ケース体に組み付けられるＡＣインレットを備え、
前記嵌合凸縁部の側面に前記嵌合溝に嵌合した状態で相対する溝内壁との間において弾性変形する圧入リブを一体に形成し、この圧入リブの弾性力により前記嵌合凸縁部と前記嵌合溝の嵌合状態が保持されて前記ＡＣインレットが前記インレット組付開口部に組み付けられることを特徴とするＡＣアダプタ。
【請求項２】
前記圧入リブが、前記嵌合凸縁部の内側面側に一体に形成され、前記弾性力により前記嵌合凸縁部の外側面を前記嵌合溝の相対する外側の溝内壁に押し付けるように作用させることにより、ＡＣインレットが、前記接続体結合面を前記ケース体の外周壁部の主面と略同一面を構成して前記インレット組付開口部に組み付けられることを特徴とする請求項１記載のＡＣアダプタ。
【請求項３】
前記圧入リブが、少なくとも前記インレット組付開口部の相対する両側に位置して形成された前記嵌合凸縁部にそれぞれ形成されることを特徴とする請求項１又は請求項２記載のＡＣアダプタ。
【考案の詳細な説明】
【技術分野】
【０００１】
本考案は、交流電力を所定電圧の直流電力に変換して各種の電子機器等に供給するＡＣアダプタに関する。
【背景技術】
【０００２】
電子機器等においては、一般に商用電源の交流電力を変圧器や整流器或いは安定化電源回路等を有する電源装置により所定電圧の直流電力に変換して使用する。電源装置は、例えば大型で据え置き型仕様の電子機器等には内蔵されるが、小型軽量化が要求される携帯型仕様の電子機器等には必要に応じて用いられるようにする別体構成として、いわゆるＡＣ（Alternating Current）アダプタとして提供される。
【０００３】
ＡＣアダプタは、一般に合成樹脂製のケース体に商用電源との接続部を構成するインレット部と電子機器等に直流電力を供給するＤＣコードを引き出すアウトレット部が設けられ、ケース体の内部に上述した変圧回路や整流回路或いは安定化電源回路等の内部回路ユニットが収納される。なお、ＡＣアダプタは、目的に応じて内部回路ユニットが適宜に構成され、例えば安定化電源回路に代えて大容量コンデンサからなる平滑回路を設けたものも提供されている。
【０００４】
ＡＣアダプタは、ケース体の外周壁部に設けられるインレット部が、例えば商用電源のコンセントに差し込むプラグが突出して設けられた仕様、プラグ付きケーブルが引き出される仕様或いは電源コードが着脱されるコネクタ仕様等により構成される。ＡＣアダプタにおいては、従来上述したインレット部や回路機能の一部或いは全部を一体化した汎用のＡＣインレットを用い、このＡＣインレットやアウトレットをケース体に組み付けるとともに所定仕様の内部回路ユニットを設けて構成したものが提供されている。
【０００５】
すなわち、特許文献1などに開示された上述した従来のＡＣアダプタ１００は、図４及び図５に示すように底面部を開放した略矩形箱状のケース本体１０１に対してその底面部を閉塞して図示しない底蓋体を組み合わせてケース体を構成する。ＡＣアダプタ１００は、ケース体の内部に詳細を省略する回路ユニット１０２を収納するとともに、ケース本体１０１の外周壁部１０３にＡＣインレット１０４とＤＣコード１０５を引き出すグロメット１０６を組み付ける。
【０００６】
ＡＣアダプタ１００は、ケース本体１０１に対して、ＡＣインレット１０４を外周壁部１０３の長手方向の一方側面に形成したインレット組付開口部１０７に組み付けるとともに、グロメット１０６を相対する他方側面に形成したグロメット組付開口部１０８に組み付ける。ＡＣアダプタ１００は、ＡＣインレット１０４やグロメット１０６が、ケース本体１０１に組み付ける底蓋体によりインレット組付開口部１０７やグロメット組付開口部１０８内に保持される。
【特許文献１】実開平５-２０２８１号公報
【０００７】
ＡＣアダプタ１００は、図５に示すようにインレット組付開口部１０７が、ＡＣインレット１０４の外形寸法とほぼ同等の開口寸法を以ってケース本体１０１の外周壁部１０３に形成される。ケース本体１０１には、外周壁部１０３のインレット組付開口部１０７の開口縁に沿った内面側に、板状の嵌合凸縁部１０９が一体に突出形成される。嵌合凸縁部１０９は、奥行き寸法Ａを以って外周壁部１０３の表面から段落ちされ、厚み寸法Ｂを有して開口縁からインレット組付開口部１０７に突出して形成される。
【０００８】
ＡＣインレット１０４は、上述したように所定の回路部等を内部に収納した略密閉型の合成樹脂製ケース体１１０を備え、後述するようにこのケース体１１０の第１側面１１１
を外方に臨ませてインレット組付開口部１０７に組み付けられる。ＡＣインレット１０４は、詳細を省略するが商用電源のコンセントに接続される電源コードが着脱されるコネクタを第１側面１１１から外方に臨ませて、ケース体１１０内に収納する。ＡＣインレット１０４は、第１側面１１１が接続体結合面として構成される。
【０００９】
ＡＣインレット１０４には、外周部に嵌合溝１１２が形成され、この嵌合溝１１２により区割りされる接続体結合面１１１側の部位を組付フランジ部１１３として構成する。ＡＣインレット１０４は、接続体結合面１１１からの嵌合溝１１２の間隔、すなわち組付フランジ部１１３の厚み寸法Ｃが上述した嵌合凸縁部１０９の奥行き寸法Ａとほぼ等しく、嵌合溝１１２の溝幅寸法Ｄが嵌合凸縁部１０９の厚み寸法Ｂとほぼ等しくかつ深さが嵌合凸縁部１０９の突出量とほぼ等しく形成される。
【考案の開示】
【考案が解決しようとする課題】
【００１０】
ＡＣアダプタ１００においては、上述したようにＡＣインレット１０４として汎用品を用いることから、ケース本体１０１がＡＣインレット１０４のケース体１１０に形成した嵌合溝１１２の仕様に合わせて嵌合凸縁部１０９を有するインレット組付開口部１０７を形成する。従来のＡＣアダプタ１００においては、汎用のＡＣインレット１０４が組付フランジ部１１３の厚み寸法Ｃや嵌合溝１１２の溝幅寸法Ｄが大きな寸法公差で形成されることから、外周壁部１０３と接続体結合面１１１が略同一面を構成して高精度に組み付けることが困難であった。
【００１１】
ＡＣアダプタ１００においては、このために外周壁部１０３と接続体結合面１１１に段差１１４が生じ、インレット組付開口部１０７の開口縁において取り扱い時に指先等の引っ掛かりが発生したり内部に塵埃等が侵入するといった問題や、段差により外観が損なわれるといった問題が生じる。ＡＣアダプタ１００においては、例えばケース本体１０１が嵌合凸縁部１０９の奥行き寸法Ａを２±０．１ｍｍ、厚み寸法Ｂを１．５−０〜０．１ｍｍで形成し、ＡＣインレット１０４が組付フランジ部１１３の厚み寸法Ｃを２±０．１ｍｍ、嵌合溝１１２の溝幅寸法Ｄを１．７−０〜０．１５ｍｍで形成した場合に、組み付けた状態で外周壁部１０３と接続体結合面１１１との間に奥行き寸法Ｅが０±０．３５ｍｍの段差１１４が生じてしまう。また、ＡＣアダプタ１００においては、ケース本体１０１とＡＣインレット１０４との寸法公差により、ＡＣインレット１０４にガタ付きが生じてしまうといった問題もあった。
【００１２】
ＡＣアダプタ１００においては、ケース本体１０１を高精度に形成しても汎用のＡＣインレット１０４の寸法公差により段差１１４の発生を防止することが困難であり、また嵌合凸縁部１０９と嵌合溝１１２とに所定の嵌合代が確保できずケース本体１０１にＡＣインレット１０４を組み付ける作業が極めて困難となるといった問題が生じる。
【００１３】
したがって、本考案は、追加工や追加部品を不要とする簡易な構造であり、簡易な組立作業により汎用ＡＣインレットがケース体に形成したインレット組付開口部に精度よく組み付けられるＡＣアダプタを提供することを目的に提案されたものである。
【課題を解決するための手段】
【００１４】
上述した目的を達成する本考案にかかるＡＣアダプタは、外周壁部に開口するインレット組付開口部を形成したこのケース体に、外形がインレット組付開口部と略同形とされ交流電源接続体を結合する接続体結合面を有するＡＣインレットとから構成される。ＡＣアダプタは、ケース体にインレット組付開口部の開口縁の内面側に嵌合凸縁部を形成するとともに、ＡＣインレットの外周部に嵌合凸縁部に対応して嵌合溝を形成する。ＡＣアダプタは、ケース体の嵌合凸縁部に、嵌合溝に嵌合した状態で相対する溝内壁との間において
弾性変形する圧入リブがその側面に一体に形成される。
【００１５】
ＡＣアダプタにおいては、ケース体に対してＡＣインレットが、嵌合凸縁部に嵌合溝を嵌合することにより接続体結合面をインレット組付開口部から外方に臨ませて組み付けられる。ＡＣアダプタにおいては、弾性変形した圧入リブの弾性力により嵌合凸縁部と嵌合溝の嵌合状態が保持されてＡＣインレットがインレット組付開口部に組み付けられる。
【００１６】
ＡＣアダプタは、圧入リブが、嵌合凸縁部の内側面側に一体に形成され、嵌合凸縁部に嵌合溝を嵌合した状態で生じる弾性力が嵌合凸縁部の外側面を嵌合溝の相対する外側の溝内壁に押し付けるように作用する。ＡＣアダプタにおいては、ＡＣインレットが、接続体結合面をケース体の外周壁部の主面と略同一面を構成してインレット組付開口部に組み付けられる。
【００１７】
ＡＣアダプタは、圧入リブが、少なくともインレット組付開口部の相対する両側に位置して形成された前記嵌合凸縁部にそれぞれ形成される。ＡＣアダプタにおいては、圧入リブの弾性力がＡＣインレットに対してその両側において作用されることにより、ＡＣインレットがインレット組付開口部に安定した状態で組み付けられる。
【考案の効果】
【００１８】
以上のように構成された本考案にかかるＡＣアダプタによれば、ケース体の嵌合凸縁部に形成した圧入リブが嵌合凸縁部に嵌合溝を嵌合した状態で弾性変形して嵌合凸縁部を相対する嵌合溝の溝内壁に押し付けることから、ＡＣインレットが嵌合凸縁部の内面を基準面としてケース体に組み付けられることになる。したがって、ＡＣアダプタによれば、嵌合溝の寸法精度のバラツキが吸収されてＡＣインレットがインレット組付開口部に精度よく組み付けられる。
【考案を実施するための最良の形態】
【００１９】
以下、本考案の実施の形態として示すＡＣアダプタ１について図面を参照して詳細に説明する。ＡＣアダプタ１は、基本的な構成及び機能を上述した従来のＡＣアダプタ１００と同様とし、図１に示すように、詳細を後述するケース本体３と底部蓋体４とを組み合わせてケース体２を構成し、このケース体２の内部に詳細を省略するが変圧機能や整流機能或いは安定化電源機能等を奏する回路ユニット５を収納するとともに、汎用のＡＣインレット６が組み付けられる。
【００２０】
ＡＣアダプタ１は、ＡＣインレット６に交流電源接続体を構成する電源コードユニット７が着脱され、この電源コードユニット７を介して商用電源のコンセント９に接続されることにより交流電力が供給される。ＡＣアダプタ１は、ケース体２から直流電源接続体を構成するＤＣケーブルユニット８が引き出されて図示しない電子機器と接続される。ＡＣアダプタ１は、電源コードユニット７を介して供給された交流電力を所定電圧の直流電力に変換し、ＤＣケーブルユニット８を介して電子機器に供給する。
【００２１】
ＡＣインレット６は、合成樹脂材により矩形箱状に形成された略密閉型の筐体１０を備えており、詳細を省略するが筐体１０の内部に上述した回路機能の一部或いは全部を収納して構成したものであってもよい。ＡＣインレット６は、詳細を後述するようにケース体２に筐体１０の長手方向の第１側面１１を臨ませて組み付けられ、この第１側面１１に商用電源のコンセント８に接続される電源コードユニット７の先端に設けたプラグ１２が着脱されるコネクタ１３を外方に臨ませて設けることにより、第１側面１１が接続体結合面として構成される。
【００２２】
ＡＣインレット６には、図２に示すように筐体１０の接続体結合面１１と対向する長手
方向の第２側面１４に複数の接続端子１５が突出して設けられる。ＡＣインレット６は、各接続端子１５が図示を省略するが一端側をコネクタ１３と接続されるとともに、他端側をケース体２に収納された回路ユニット５と接続される。なお、ＡＣインレット６は、接続体結合面１１にコネクタ１３を設けた仕様のものばかりでなく、例えば商用電源のコンセント８に直接差し込むプラグを突出して設けた仕様、プラグ付きケーブルが引き出される仕様のものであってもよいことは勿論である。
【００２３】
ＡＣインレット６には、図２に示すように筐体１０の外周部に嵌合溝１６が形成され、この嵌合溝１６により区割りされる接続体結合面１１側の前方部位が組付フランジ部１７を構成して後述するようにケース体２に組み付けられる。ＡＣインレット６は、嵌合溝１６が、筐体１０の上面と幅方向の両側面とに跨って外周部に形成される。ＡＣインレット６も、上述したＡＣインレット１０４と同様に、接続体結合面１１からの嵌合溝１６の間隔、すなわち組付フランジ部１７の厚み寸法がＣとされるとともに、嵌合溝１６の溝幅寸法がＤとされる。
【００２４】
ＡＣインレット６も、汎用品が用いられることから、様々なケース体に対しても組み付けられるようにするために筐体１０や嵌合溝１６が比較的大きな寸法公差を付与されて形成される。ＡＣインレット６は、詳細を後述するケース体２側の構成により、大きな寸法公差を吸収されてケース本体３に形成したインレット組付開口部２０に精度よく組み付けられる。
【００２５】
ＡＣアダプタ１は、ＡＣインレット６を組み付けるケース体２が、上述したように合成樹脂材により形成されたケース本体３と底部蓋体４を組み合わせて構成する。ケース本体３は、天井部１８と外周壁部１９とからなる底面部を開放した略矩形箱状に形成され、開放された底面部を底部蓋体４により閉塞される。ケース本体３には、長手方向の一方側面を構成する外周壁部１９に上述したＡＣインレット６を組み付けるインレット組付開口部２０が形成されるとともに、図示を省略するが長手方向の相対する他方側面を構成する外周壁部１９にＤＣケーブルユニット８を保持した状態で引き出すグロメットを組み付けるグロメット組付開口部が形成される。
【００２６】
ケース本体３には、図２に示すようにインレット組付開口部２０が、ＡＣインレット６の外形形状及び外形寸法とほぼ同等の矩形の開口形状及び開口寸法を以って外周壁部１９に形成される。ケース本体３には、外周壁部１９のインレット組付開口部２０の天井部及び両側面部の開口縁に沿った内面側に、全体が略下向きコ字状を呈する嵌合凸縁部２１が一体に突出形成される。
【００２７】
嵌合凸縁部２１は、上述したＡＣアダプタ１００の嵌合凸縁部１０９と同様に、奥行き寸法Ａを以って外周壁部１９の表面から段落ちされるとともに、厚み寸法Ｂを有してインレット組付開口部２０の開口縁から断面略Ｌ字状を呈する板状の凸部として開口縁からインレット組付開口部２０内に突出して形成される。すなわち、嵌合凸縁部２１は、外周壁部１９の表面から上述したＡＣインレット６の厚み寸法Ｃと略等しい奥行き位置においてインレット組付開口部２０内に突出し、嵌合溝１６の溝幅寸法と略等しい厚み寸法及び嵌合溝１６の深さ寸法とほぼ等しい幅寸法を以って形成される。
【００２８】
嵌合凸縁部２１には、図２に示すように高さ方向の両側部位２１Ｌ、２１Ｒの内面に、それぞれ圧入リブ２２Ｌ、２２Ｒが一体に形成される。圧入リブ２２Ｌ、２２Ｒは、それぞれ天井面側から底面側に向かって先端の近傍に達する高さを有し、略三角形状のリブからなる。圧入リブ２２Ｌ、２２Ｒは、後述するようにケース体２にＡＣインレット６を組み付けた状態で、嵌合溝１６の内側の溝内壁１６ＬＩ、１６ＲＩとの間でそれぞれ弾性変形される。
【００２９】
なお、嵌合凸縁部２１は、上述した両側部位２１Ｌ、２１Ｒばかりでなく、図２鎖線で示すように天井部位２１Ｈの内面にも、水平方向の圧入リブ２２Ｈを同様に一体に形成するようにしてもよい。また、嵌合凸縁部２１は、各部位にそれぞれ１個の圧入リブ２２を形成するばかりでなく、互いに平行な複数本の圧入リブを形成するようにしてもよい。
【００３０】
嵌合凸縁部２１は、上述したようにＡＣアダプタ１が各部の寸法公差が比較的大きな汎用のＡＣインレット６を用いることから、組立時に嵌合溝１６に対してきつく嵌合したり緩く嵌合したりする状態が生じる。したがって、嵌合凸縁部２１は、上述したように嵌合溝１６と略等しい寸法仕様を以って形成されるが、実際には充分な嵌合代を確保するマイナス公差を付して形成され、その側面にＡＣインレット６の最大公差よりも大きな高さを有する圧入リブ２２を一体に形成する。嵌合凸縁部２１は、上述した従来のＡＣアダプタ１００と同様に厚み寸法Ｂを１．５−０〜０．１ｍｍで形成する場合に、圧入リブ２２をＡＣインレット６に形成される嵌合溝１６の溝幅寸法Ｄの最大公差０．１５ｍｍ程度の高さ寸法で形成する。
【００３１】
底部蓋体４は、上述したケース本体２の底面部と略等しい外形を有するとともに、詳細を省略するがＡＣインレット６や回路ユニット５を位置決めして搭載する取付部が一体に形成された全体板状に形成される。底部蓋体４には、その外周縁部位にケース本体２の外周壁部１９と突き合わされる凸縁部が一体に形成されており、ＡＣインレット６を取り付けた状態で凸縁部と外周壁部１９の下端縁を突き合わせてケース本体２が組み合わされてケース体２を構成する。
【００３２】
なお、底部蓋体４は、上述した構成に限定されず、外周縁部位に沿ってケース本体２の外周壁部１９と共同してケース体２の外周側面を構成する外周壁部を一体に形成してもよい。かかる底部蓋体４には、この外周壁部にケース本体２側のインレット組付開口部２０と同様のインレット組付開口部を形成してＡＣインレット６を共同して組み付けるようにする。
【００３３】
以上のように構成されるＡＣアダプタ１においては、詳細を省略するが底部蓋体４に対してその凸縁部の外周面に組付フランジ部１７の接続体結合面１１が略同一面を構成するようにしてＡＣインレット６が取り付けられる。なお、ＡＣアダプタ１においては、底部蓋体４に回路ユニット５も取り付けられ、この回路ユニット５がＡＣインレット６の接続端子１５と電気的接続を行われるとともにＤＣケーブルユニット８の接続も行われる。ＡＣアダプタ１においては、ケース本体３が底部蓋体４に対して、開放された底面部側を組付側として被せるように組み合わされてケース体２を構成する。ＡＣアダプタ１においては、後述するようにＡＣインレット６がケース本体３に形成したインレット組付開口部２０内に精度よく組み付けられる。
【００３４】
ＡＣアダプタ１においては、図２矢印で示すようにケース本体３が、インレット組付開口部２０に突出して形成された両側の嵌合凸縁部２１Ｌ、２１Ｒをそれぞれ相対する両側の嵌合溝１６Ｌ、１６Ｒに嵌合させて底部蓋体４側へと押し込まれる。ＡＣアダプタ１においては、嵌合凸縁部２１Ｌ、２１Ｒを相対する嵌合溝１６Ｌ、１６Ｒ内に嵌合されるにしたがって、これら嵌合凸縁部２１Ｌ、２１Ｒに形成した圧入リブ２２Ｌ、２２Ｒが嵌合溝１６Ｌ、１６Ｒの内側の溝内壁１６ＬＩ、１６ＲＩとの間において弾性変形する。
【００３５】
ＡＣアダプタ１においては、図３矢印で示すように上述した圧入リブ２２Ｌ、２２Ｒの弾性変形により生じる弾性力が、嵌合凸縁部２１Ｌ、２１Ｒを嵌合溝１６Ｌ、１６Ｒの組付フランジ部１７側の溝内壁１６ＬＨ、１６ＲＨに押し付ける。ＡＣアダプタ１においては、これによりＡＣインレット６が嵌合凸縁部２１の内面を基準面としてケース本体３に
形成したインレット組付開口部２０に組み付けられることになる。ＡＣアダプタ１においては、上述したように比較的大きな寸法公差を以って形成された嵌合溝１６と嵌合凸縁部２１の寸法公差との差により生じる間隙のバラツキが吸収され、ＡＣインレット６が組付フランジ部１７をインレット組付開口部２０に嵌合されて精度よく組み付けられる。
【００３６】
ＡＣアダプタ１においては、ＡＣインレット６がインレット組付開口部２０において、その接続体結合面１１をケース本体３の外周壁部１９と段差や隙間等の発生を大幅に低減して略同一面が構成されるようにするとともに外周壁部１９にコネクタ１３を露出させてケース体２に精度よく組み付けられる。ＡＣアダプタ１においては、ＡＣインレット６が、インレット組付開口部２０の相対する両側に位置して形成した嵌合凸縁部２１Ｌ、２１Ｒに設けた圧入リブ２２Ｌ、２２Ｒからに弾性力を作用されることにより、インレット組付開口部２０に安定した状態で組み付けられる。なお、ＡＣアダプタ１においては、嵌合溝１６と嵌合凸縁部２１が上述した寸法値と公差で形成される場合に、接続体結合面１１と外周壁部１９とに生じる段差が全域に亘ってほとんど識別が困難な０±０．２ｍｍ程度にまで抑制されるようになる。
【００３７】
なお、上述した実施の形態として示したＡＣアダプタ１においては、底部蓋体４に予めＡＣインレット６を取り付けた状態でケース本体３を底部蓋体４に組み合わせることによりインレット組付開口部２０にＡＣインレット６を組み付けるように構成したが、本考案はかかる構成に限定されないことは勿論である。ＡＣアダプタ１は、ＡＣインレット６や回路ユニット５をケース本体３側に取り付けた状態で、ケース本体３に底部蓋体４を組み合わせてケース体２を構成してもよい。
【図面の簡単な説明】
【００３８】
【図１】本考案の実施の形態として示すＡＣアダプタの全体構成を説明する図である。
【図２】同ＡＣアダプタにおいて、ケース本体に設けたインレット組付開口部にＡＣインレットを組み付ける構成を説明する要部分解斜視図である。
【図３】同ＡＣアダプタにおいて、ケース本体に設けたインレット組付開口部にＡＣインレットを組み付けた状態を示す要部断面図である。
【図４】従来のＡＣアダプタの底部蓋体を取り外して示す要部底面図である。
【図５】同ＡＣアダプタ、ケース本体に設けたインレット組付開口部にＡＣインレットを組み付けた状態を示す要部断面図である。
【符号の説明】
【００３９】
１        ＡＣアダプタ
２        ケース体
３        ケース本体
４        底部蓋体
５        回路ユニット
６        ＡＣインレット
７        電源コードユニット
８        ＤＣケーブルユニット
９        コンセント
１０      筐体
１１      接続体結合面
１２      プラグ
１３      コネクタ
１４      第２側面
１５      接続端子
１６      嵌合溝
１７      組付フランジ部
１８      天井部
１９      外周壁部
２０      インレット組付開口部
２１      嵌合凸縁部
２２      圧入リブ
【図１】
0003127582.tif 000003
【図２】
0003127582.tif 000004
【図３】
0003127582.tif 000005
【図４】
0003127582.tif 000006
【図５】
0003127582.tif 000007